(57)【要約】【課題】湾曲するフロントを有する眼鏡を確実に保護でき、しかも嵩張らず持ち運びが簡単な眼鏡ケースを提供する。【解決手段】フロント１０１が顔の正面から左右側面に向けて後方に湾曲した形状の眼鏡１００を収納する眼鏡ケース１であって、フロント１０１形状に倣って湾曲しフロント１０１の正面を覆う硬質の正面湾曲ケース２と、フロント１０１の形状に倣って湾曲しフロント１０１の背面を覆う裏面湾曲ケース３と、を備えている。裏面湾曲ケース３は、湾曲した状態で左右両端が正面湾曲ケース２に連結された板状の部材で、左右の連結部４，４を支点にして正面湾曲ケース側Ａと反正面湾曲ケース側Ｂに反転自在となっており、眼鏡収納時には裏面湾曲ケース３を正面湾曲ケース側Ａに湾曲させて眼鏡１００を押さえ、眼鏡１００の取出時には反正面湾曲ケース側Ｂに湾曲させて眼鏡１００を開放する構造となっている。【選択図】  図１ 
2005334181.tif 000002
【特許請求の範囲】
【請求項１】
フロントが顔の正面から左右側面に向けて後方に湾曲した形状の眼鏡を収納する眼鏡ケースであって、
フロント形状に倣って湾曲しフロントの正面を覆う硬質の正面湾曲ケースと、フロントの形状に倣って湾曲しフロントの背面を覆う裏面湾曲ケースと、を備えたことを特徴とする眼鏡ケース。
【請求項２】
裏面湾曲ケースは左右両端が正面湾曲ケースに連結された板状の部材で、左右の連結部を支点にして反正面湾曲ケース側に反転自在となっており、
眼鏡収納時には正面湾曲ケース側に湾曲させて眼鏡を押さえ、眼鏡の取出時には反正面湾曲ケース側に湾曲させて眼鏡を開放する構造となっている請求項１に記載の眼鏡ケース。
【請求項３】
裏面湾曲ケースには、眼鏡の突出部分を逃がす凹部が設けられている請求項２に記載の眼鏡ケース。
【発明の詳細な説明】
【技術分野】
【０００１】
本発明は、眼鏡ケースに関し、特に湾曲が強いフロントを備えた眼鏡の眼鏡ケースに関する。
【背景技術】
【０００２】
従来からフロントが顔の正面から左右側面に向けて後方に湾曲した形状の眼鏡が知られている。このような眼鏡の眼鏡ケースとしては、たとえば、図３に示すようなものがあった。
【０００３】
すなわち、眼鏡２００のフロント２０１を縦置きの状態で収納する硬質のケース本体２１０と、ケース本体２１０にヒンジ部２３０を介して開閉自在に連結される硬質のケース蓋２２０とを備えた構成となっている。ケース本体２１０は、縦置きの眼鏡２００を載置する半月形状の底板部２１１と、底板部２１１の前側縁に沿って立ち上がり眼鏡のフロント２０１の下半分程度を覆う湾曲した前側壁２１２と、底板部２１１の直線状の後側縁に沿って立ち上がる後側壁２１３とを備えている。
【０００４】
ケース蓋２２０は、ケース本体２１０の開口部を覆う半月状の天板部２２１を有し、天板部２２１の直線状の後側縁がケース本体２１０の後側壁２１３にヒンジ部２３０を介して開閉自在に連結され、天板部２２１の円弧状の前側縁にはケース本体２１０の前側壁２１２に係合してフロント２０１の前面を覆う前側壁２２２が設けられている。
【０００５】
しかし、上記した従来の眼鏡ケースでは、ケース本体２１０の前側壁２１２とケース蓋２２０の前側壁２２２はフロント２０１を縦置き収納するだけの高さを必要とし、ケース本体２１０の前後方向の幅はフロント２０１が湾曲している分だけ大きくとる必要があるので、ケース全体が大きくなってしまい、携帯に不便で、開閉操作も面倒であった。
【０００６】
また、眼鏡２００のテンプル２０２はフロント２０１に折り畳まれた状態でケースに収納されるが、フロント２０１とケース本体２１０の後側壁２１３との間に空間があるために、テンプル２０２ががたついて安定しない。
【発明の開示】
【発明が解決しようとする課題】
【０００７】
本発明は上記した従来技術の課題を解決するためになされたもので、その目的とするところは、湾曲するフロントを有する眼鏡を確実に保護でき、しかも嵩張らず持ち運びや開閉操作が容易な眼鏡ケースを提供することにある。
【課題を解決するための手段】
【０００８】
上記目的を達成するために、請求項１に係る発明は、フロントが顔の正面から左右側面に向けて後方に湾曲した形状の眼鏡を収納する眼鏡ケースであって、
フロント形状に倣って湾曲しフロントの正面を覆う硬質の正面湾曲ケースと、フロントの形状に倣って湾曲しフロントの背面を覆う裏面湾曲ケースと、を備えたことを特徴とする。
【０００９】
請求項２に係る発明は、裏面湾曲ケースは左右両端が正面湾曲ケースに連結された板状の部材で、左右の連結部を支点にして反正面湾曲ケース側に反転自在となっており、眼鏡収納時には正面湾曲ケース側に湾曲させて眼鏡を押さえ、眼鏡の取出時には反正面湾曲ケース側に湾曲させて眼鏡を開放する構造となっていることである。
【００１０】
請求項３に係る発明は、裏面湾曲ケースには、眼鏡の突出部分を逃がす凹部が設けられていることである。
【発明の効果】
【００１１】
請求項１に係る発明によれば、硬質の正面湾曲ケースによってフロントが保護される。一方、裏面湾曲ケースによってフロントの裏面側を保持するので、ケースの厚みは薄くなり、コンパクトで持ち運びや開閉操作が容易となる。
【００１２】
請求項２に係る発明によれば、裏面湾曲ケースを反転させるだけで、眼鏡の収納，取出が容易にできる。
【００１３】
請求項３に係る発明によれば、テンプルやノーズパッド等の眼鏡の突出部を逃がす凹部を設けることにより、これらの部品の損傷を防止でき、また、より一層ケースの薄型化を図ることができる。
【発明を実施するための最良の形態】
【００１４】
以下に本発明を図示の実施形態に基づいて説明する。図１および図２は、本発明の実施形態に係る眼鏡ケース１を示している。
【００１５】
この眼鏡ケース１は、フロント１０１が顔の正面から左右側面に向けて後方に湾曲した形状の眼鏡１００を収納するものであり、フロント１０１形状に倣って湾曲しフロント１０１の正面を覆う硬質の正面湾曲ケース２と、フロント１０１の形状に倣って湾曲しフロント１０１の背面を覆う裏面湾曲ケース３と、を備えている。
【００１６】
正面湾曲ケース２の上下方向の幅は、フロント１０１の高さ寸法よりも幅広で、裏面には、フロント１０１が納まるようにフロント１０１の厚み程度の凹部２１が形成されている。この実施形態では、正面湾曲ケース２は前後に湾曲するだけでなく、上下方向にも前方に凸形状に湾曲しており、上下に湾曲させることにより内側面に凹部２１を形成している。
【００１７】
正面湾曲ケース２は、硬質プラスチック，金属等で成形された骨格となる硬質のシェル２２と、シェル２２の内面に張り付けられるクッション材等の緩衝部２３とを備えた積層構造となっており、シェル２２によって湾曲形状を保持している。シェル２２には適宜装飾を施してデザイン性を高めることができる。
【００１８】
裏面湾曲ケース３は、湾曲した状態で左右両端が正面湾曲ケース２に連結された板状の部材で、左右の連結部４，４を支点にして正面湾曲ケース側Ａと反正面湾曲ケース側Ｂに湾曲方向が反転可能となっており、眼鏡１００収納時には裏面湾曲ケース３を正面湾曲ケース側Ａに湾曲させて眼鏡１００を押さえ、眼鏡１００の取出時には反正面湾曲ケース側Ｂに湾曲させて眼鏡１００を開放する構造となっている。
【００１９】
正面湾曲ケース側Ａに湾曲した裏面湾曲ケース３は、眼鏡のフロント１０１を正面湾曲ケース２の凹部２１に押さえると共に、上下端部が正面湾曲ケース２の上下側縁に密接する。この状態で、折り畳まれたテンプル１０２やノーズパッド１０３等のフロント１０１の裏面から後方に突出している突出部分が裏面湾曲ケース３と干渉するので、眼鏡１００を押さえる裏面湾曲ケース３の前面には突出部分を逃がす凹部としての逃がし凹部３１が設けられている。
【００２０】
連結部４は、この実施形態では、前後方向に回転自在のヒンジ構造が採用される。ヒン
ジ構造としては、種々のヒンジが適用可能である。
【００２１】
次に、本実施形態の眼鏡ケース１の使用方法について説明する。
【００２２】
眼鏡１００を収納する際には、裏面湾曲ケース３を後方（Ｂ方向）に反転させて正面湾曲ケース２と裏面湾曲ケース３間を大きく開き、眼鏡１００のフロント１０１にテンプル１０２を折り畳んだ状態でフロント１０１の前面から正面湾曲ケース２の凹部２１に配置し、裏面湾曲ケース３を前方（Ａ方向）に戻し眼鏡１００の収納を完了する。これにより、硬質の正面湾曲ケース２によって湾曲するフロント１０１が確実に保護される。また、裏面湾曲ケース３によってフロント１０１の裏面側を保持するので、眼鏡ケース１の厚みは薄くなり、コンパクトで携帯が容易となる。
【００２３】
眼鏡１００を取り出す際には、裏面湾曲ケース３を後方（Ｂ方向）に反転させることにより、正面湾曲ケース２と裏面湾曲ケース３間が大きく開き、簡単に眼鏡１００を取り出すことができる。
【００２４】
この裏面湾曲ケース３の湾曲形状を維持する方法としては、たとえば、裏面湾曲ケース３自体に弾力性を持たせ、弾性復元力によって、眼鏡１００を正面湾曲ケース２に対して押さえ、眼鏡開放時には開放位置での湾曲形状を維持するような機構、あるいは、連結部４に正面湾曲ケース側Ａに回転付勢するばね機構と、反正面湾曲ケース側Ｂに回転付勢するばね機構を設け、回転角度で切り替わるような機構等を採用することができる。
【００２５】
また、ばねを使わないで面状ファスナ等によって正面湾曲ケース側Ａに湾曲させた裏面湾曲ケース３を正面湾曲ケースに着脱自在に固定するようにしてもよいし、フックに引っ掛けるような止め方をしてもよいし、種々の方法が適用可能である。
【図面の簡単な説明】
【００２６】
【図１】図１は本発明の実施形態に係る眼鏡ケースを示すもので、同図（Ａ）は眼鏡を収納した状態を眼鏡ケースを開いて後方から見た斜視図、同図（Ｂ）は眼鏡ケースを閉じた状態を後方から見た斜視図である。
【図２】図２（Ａ）は図１の眼鏡ケースを前方から見た斜視図、同図（Ｂ）は図２（Ａ）の眼鏡を収納しない状態で眼鏡ケースを後方から見た斜視図である。
【図３】図３は従来の眼鏡ケースを示すもので、同図（Ａ）は開いた状態の斜視図、同図（Ｂ）は閉じた状態の斜視図である。
【符号の説明】
【００２７】
１  眼鏡ケース
２  正面湾曲ケース
２１  凹部
２２  シェル
２３  緩衝部
３  裏面湾曲ケース
３１  逃がし凹部
４  連結部
１００  眼鏡
１０１  フロント
１０２  テンプル
１０３  ノーズパッド
【図１】
2005334181.tif 000003
【図２】
2005334181.tif 000004
【図３】
2005334181.tif 000005